(57)【特許請求の範囲】
【請求項１】
流路接続のための一対の接続孔と前記接続孔の間に設けられている係合孔とが頂面に開放しているコンセント本体と、前記接続孔に水密状態に装着される一対のキャップ部と前記キャップ部の装着と同時に前記係合孔に抜け止め状態に且つ脱着自在に係合可能な係合片とを具備する保護部材と、前記保護部材が装着された状態にて前記コンセント本体の前記頂面全域を開放可能に閉塞する被覆蓋とを備えた流体コンセントにおいて、
前記コンセント本体の前記頂面に対して直角方向に進退自在な進退軸が設けられると共に、前記進退軸は付勢手段によって常時外方へ突出する方向へ付勢されているものとし、
前記係合片が前記係合孔に抜け止め状態に装着されるときには、前記進退軸は前記保護部材に押されて前記頂面よりも内方へ後退し、
前記係合片の前記係合孔への装着が不完全な場合には、前記進退軸は前記付勢手段の付勢力によって外方へ向かって進出させられ、
前記進退軸の進出により、前記保護部材は、完全閉塞時における前記被覆蓋の内面の位置よりも外方へ押し出されるように設定されていることを特徴とする流体コンセント。
【請求項２】
請求項１に記載の流体コンセントにおいて、前記進退軸は、前記係合孔の開放端から常時突出するように付勢されているものとし、
前記係合片が前記係合孔に抜け止め状態に装着されるときには、前記進退軸は前記係合片の先端に押されて前記係合孔内で後退姿勢を維持すると共に、
前記係合片の前記係合孔への装着が不完全な場合には、前記進退軸は前記付勢手段の付勢力によって、前記保護部材を、完全閉塞時における前記被覆蓋の内面の位置よりも外方へ押し出すように設定されている流体コンセント。
【請求項３】
請求項１又は２に記載の流体コンセントにおいて、前記コンセント本体は室内側に開放するケース体内に収容されていると共に、前記ケース体の開放部は回動式の被覆蓋によって閉塞される構成とし、
前記進退軸は、前記ケース体の底板に取り付けられた固定軸の先端側にバネを介して装着されており、
前記バネの付勢力は、前記被覆蓋を自然に閉塞させたときに前記被覆蓋の内面が前記進退軸を押圧する押圧力よりも大きく設定されている流体コンセント。
【発明の詳細な説明】
【０００１】
【発明の属する技術分野】
この発明は、流体コンセント、特に、不使用状態において、コンセント本体に設けられている接続孔を保護する為の保護部材が設けられた形式の流体コンセントに関するものである。
【０００２】
【従来の技術】
図５に示した流体コンセント(1)は、屋外の加熱機と屋内の放熱機（共に図示せず）との間の流体循環路を途中で着脱自在に接続する為のものであり、屋内の床面(F)に設置される形式のものである。
【０００３】
この種流体コンセント(1)は、前記加熱機から延びる一対の室外側配管(16a)(16b)の先端に設けられるコンセント本体(10)が、前記床面(F)に設けられた開口部(F0)に嵌め込まれて固定される上方開放のケース体(17)内に収容されているもので、前記コンセント本体(10)には、流体循環路接続の為の一対の接続孔(11)(12)が上方に開放するように並設されている。
流体コンセント(1)の不使用時には、前記ケース体(17)の上方開放部は、被覆蓋(14)によって開放可能に被覆される。
【０００４】
この流体コンセント(1)を使用するには、前記被覆蓋(14)を開放させ、ケース体(17)の開放端から前記接続孔(11)(12)に、放熱機から延びる室内側流体ホース（図示せず）の先端に設けられた流体プラグのプラグ部（図示せず）を接続させる。これにより、前記接続孔(11)(12)に内蔵されている弁体(110)(120)及び前記プラグ部に内蔵されている弁体が各々開弁し、流体循環路が接続されることとなる。
【０００５】
尚、このコンセント本体(10)における前記接続孔(11)(12)間には、前記流体プラグに設けられている係合片を抜け止め状態に係合させるための係合孔(13)が上方に開放するように形成されている。
【０００６】
流体コンセント(1)の不使用時には、前記プラグ部を流体コンセント(1)から引き抜いて取り外す。これにより、前記弁体(110)(120)は内部に設けられているバネ(18)の復帰力により上方へ押し上げられる方向に付勢されることにより閉弁し、接続孔(11)(12)から流体が漏れることがない。
【０００７】
しかしながら、接続孔(11)(12)からの不用意な漏れ防止と接続孔(11)(12)の保護の為に、流体コンセント(1)の不使用時においては、接続孔(11)(12)の開放端を含むコンセント本体(10)の頂面には、同図に示すような保護部材(3)が装着される。
【０００８】
従来のこの種保護部材(3)は、接続孔(11)(12)各々に取外し可能に嵌入する一対のキャップ部(31)(32)と、これらキャップ部(31)(32)を並列状態に一体的に連結させる連結部材(30)、キャップ部(31)(32)間における連結部材(30)に一体的に並設されると共に前記キャップ部(31)(32)の突出方向と同一方向に突出させた一対の係合片(33)(34)と、前記係合片(33)(34)間に板バネ(35)を介して一端が装着され且つ外方へ引っ張ることにより前記係合片(33)(34)を近接する方向に揺動させて保護部材(3)を強制的に取り外すためのボールチェーン(5)とから構成されている。
又、前記キャップ部(31)(32)の外周面には、接続孔(11)(12)に嵌入させたときに接続孔(11)(12)との間の水密を確保する為のＯリング(36)が装着されている。
【０００９】
接続孔(11)(12)にＯリング(36)が内嵌状態に収容されるまでキャップ部(31)(32)を押し込むと同時に、係合片(33)(34)は係合孔(13)の周縁部に係合させることにより、保護部材(3)はコンセント本体(10)の接続孔(11)(12)に水密状態に且つ抜け止め状態に装着される。その後、被覆蓋(14)を閉塞させる。
【００１０】
流体コンセント(1)を使用する際には、前記被覆蓋(14)を開放させ、前記ボールチェーン(5)を上方へ引っ張る。ボールチェーン(5)が引っ張られることにより、係合片(33)(34)は前記板バネの弾性によって相互に近接する方向に揺動し、係合孔(13)の周縁への係合が解除される。あとは、キャップ部(31)(32)を接続孔(11)(12)から強制的に引き抜けば良い。
【００１１】
【発明が解決しようとする課題】
従来の流体コンセント(1)では、保護部材(3)を装着し忘れたり、又は、装着状態が不完全であったりする場合でも、このことに気づかずに、被覆蓋(2)を閉塞させてしまうことがある。一旦閉塞させた被覆蓋(3)は、通常、放熱機の次の使用時期まで開放させることはないから、この状態のまま長期間放置されることとなる。よって、万一接続孔(11)(12)から漏れが生じた場合、コンセント本体(10)内に水滴を侵入させてしまい、電気回路の接続端子が損傷されてしまうといった問題がある。
【００１２】
本発明は、『流路接続のための一対の接続孔と前記接続孔の間に設けられている係合孔とが頂面に開放しているコンセント本体と、前記接続孔に水密状態に装着される一対のキャップ部と前記キャップ部の装着と同時に前記係合孔に抜け止め状態に且つ脱着自在に係合可能な係合片とを具備する保護部材と、前記保護部材が装着された状態にて前記コンセント本体の前記頂面全域を開放可能に閉塞する被覆蓋とを備えた流体コンセント』において、保護部材のコンセント本体への装着不備を確実に防止することを課題とする。
【００１３】
＜１項＞
【００１４】
【課題を解決するための手段】
前述した課題を解決するために講じた発明の解決手段は、『前記コンセント本体の前記頂面に対して直角方向に進退自在な進退軸が設けられると共に、前記進退軸は付勢手段によって常時外方へ突出する方向へ付勢されているものとし、
前記係合片が前記係合孔に抜け止め状態に装着されるときには、前記進退軸は前記保護部材に押されて前記頂面よりも内方へ後退し、
前記係合片の前記係合孔への装着が不完全な場合には、前記進退軸は前記付勢手段の付勢力によって外方へ向かって進出させられ、
前記進退軸の進出により、前記保護部材は、完全閉塞時における前記被覆蓋の内面の位置よりも外方へ押し出されるように設定されている』ことである。
【００１５】
保護部材を装着させない状態においては、前記コンセント本体から進退軸が外方に突出した状態となる。保護部材を装着させる際に、前記キャップ部を接続孔に挿入させると同時に前記係合孔に保護部材の係合片を挿入すると、前記進退軸は前記保護部材に押されて後退していき、前記進退軸を後退させた姿勢のまま係合片を係合孔に抜け止め状態に係合させることができる。この状態で被覆蓋は完全閉塞状態に閉じることができるように設定されている。保護部材がコンセント本体に対して装着し忘れているか又は不完全に装着されている場合には、進退軸がその付勢力によって外方へ突出する態様となり、突出する分、前記保護部材が外方へ押される態様となる。よって、この状態では前記被覆蓋を閉塞させることができない。
【００１６】
＜２項＞
前記１項に詳述した発明において、『前記進退軸は、前記係合孔の開放端から常時突出するように付勢されているものとし、
前記係合片が前記係合孔に抜け止め状態に装着されるときには、前記進退軸は前記係合片の先端に押されて前記係合孔内で後退姿勢を維持すると共に、
前記係合片の前記係合孔への装着が不完全な場合には、前記進退軸は前記付勢手段の付勢力によって、前記保護部材を、完全閉塞時における前記被覆蓋の内面の位置よりも外方へ押し出すように設定されている』ものでは、保護部材を装着させない状態においては、前記コンセント本体の係合孔から進退軸が外方に突出した状態となっており、保護部材を装着させると、前記進退軸は前記接続孔に挿入される係合片に押されて係合孔内に後退していく。そして、前記進退軸を後退させた姿勢のまま係合片は係合孔に抜け止め状態に係合することができる。この状態で被覆蓋は完全閉塞状態に閉じることができる。保護部材がコンセント本体に対して装着し忘れているか又は不完全に装着されている場合には、進退軸が前記保護部材を外方へ押しながら係合孔から突出する態様となるため、この状態では前記被覆蓋を閉塞させることができなくなる。
【００１７】
＜３項＞
前記１項又は２項に詳述した発明において、『前記コンセント本体は室内側に開放するケース体内に収容されていると共に、前記ケース体の開放部は回動式の被覆蓋によって閉塞される構成とし、
前記進退軸は、前記ケース体の底板に取り付けられた固定軸の先端側にバネを介して装着されており、
前記バネの付勢力は、前記被覆蓋を自然に閉塞させたときに前記被覆蓋の内面が前記進退軸を押圧する押圧力よりも大きく設定されている』ものでは、保護部材が装着されていない状態においては前記進退軸が突出した状態に付勢されており、この状態で、回動式の被覆蓋を閉塞方向に回動させたとき、前記被覆蓋が自然に閉塞されるときに前記進退軸にかかる押圧力よりも進退軸にかかっている付勢力の方が大きく設定されているから、被覆蓋が自然に閉塞されただけでは被覆蓋の内面は進退軸に当接することとなりそれ以上の閉塞は阻止されることとなる。
【００１８】
【発明の効果】
以上説明したように、請求項１の発明では、保護部材がコンセント本体に確実に抜け止め状態に装着されない限り、進退軸が保護部材を外方へ押しながら係合孔から外方へ進出する態様となって被覆蓋が閉塞できないように設定されているから、キャップ部の接続孔への装着が不完全であることが一目瞭然である。よって、キャップ部の装着忘れや装着不備を確実に防止することができ、保護部材を接続孔に装着させない状態で長期間放置されることがない。これにより、不使用期間中における流体コンセントを確実に保護することができる。
【００１９】
上記効果に加えて、２項のものでは、前記進退軸を係合孔から突出するように付勢させる構成としたから、従来の形式の流体コンセントにも前記進退軸を具備させ易いという効果がある。又、構造も簡単で、美観も良い流体コンセントを提供することができる。
又、３項の構成のものでは、回動式の被覆蓋に採用可能となる。
【００２０】
【発明の実施の形態】
以下、本願発明の実施の形態を、図面に基づいて説明する。
図１は、本願発明の実施の形態の流体コンセント(1)に保護部材(3)を装着させていると共にその状態で被覆蓋(14)を閉塞させた状態を示す断面図である。
【００２１】
この流体コンセント(1)は、従来例で示したものと同様に、流体暖房装置の接続具として設けられるものであり、屋外に設置されて流体を加熱する加熱機（図示せず）から延びる室外側配管(16a)(16b)の先端に装着されると共に、床面(F)に設けた開口(F0)に落とし込んで固定されるケース体(17)内にコンセント本体(10)が収容された構成となっている。
【００２２】
前記コンセント本体(10)の頂面(15)には、流路接続のための接続孔(11)(12)が上方に開放する態様で並列しており、これら接続孔(11)(12)の内方端には、これら接続孔(11)(12)を含む流路を開閉する為の弁体(110)(120)が各々内蔵されている。
又、前記頂面(15)における前記接続孔(11)(12)間には、所定の深さを有する矩形の係合孔(13)が同じく上方に開放するように形成されている。
【００２３】
この係合孔(13)は、図１に示すように、後述する保護部材(3)の係合片(33)(34)や、図２に示すように、室内側放熱機から延長される室内側配管(40)の先端に装着させる流体プラグ(4)の係止フック(41)を抜け止め状態に係止させるためのものであり、特にこの実施の形態のものでは、係合孔(13)内に軸線方向に進退可能な進退軸(2)が設けられた構成となっている。
【００２４】
前記進退軸(2)は下方開放の筒体であり、ケース体(17)の底面側にネジ止めされて固定されている固定軸(20)に、バネ(21)を介して上方から被嵌させた構成であり、固定軸(20)の上端には大径部が形成されていると共に、進退軸(2)の下端には、前記大径部に下方から係止する突起部(22)が内方に突出するように設けられている。これにより、前記進退軸(2)がバネ(21)の付勢力によって上方へ最進出状態に突出した場合でも、前記突起部(22)が固定軸(20)の大径部に対して抜け止め状態に係止し、進退軸(2)が固定軸(20)から抜け落ちる不都合はない。
【００２５】
尚、この最進出状態においては、前記進退軸(2)の先端は係合孔(13)の開放端よりも上方に突出し、且つ前記係合片(33)(34)やフック部(41)が差し込まれたときには、これらの係止位置よりも奥へ後退するように各部の寸法関係は設定されているものとする。
【００２６】
前記保護部材(3)は、流体コンセント(1)の不使用時においてコンセント本体(10)に装着させて、接続孔(11)(12)からの流体の漏れを防止するたのものであり、接続孔(11)(12)にそれぞれ嵌め込む一対の筒状のキャップ部(31)(32)と、これらを並列状態に連結させる板状の連結部材(37)と、前記連結部材(37)の中央の、前記キャップ部(31)(32)の間に前記キャップ部(31)(32)と同方向に突出させている一対の係合片(33)(34)と、前記係合片(33)(34)の間に板バネ(38)を介して取付けられているボールチェーン(5)とから構成されている。
【００２７】
キャップ部(31)(32)の胴部外周には、シール性を確保するためのＯリング(36)がそれぞれ装着されており、キャップ部(31)(32)が接続孔(11)(12)に水密状態に嵌入されると同時に、係合片(33)(34)が前記係合孔(13)に抜け止め状態に差し込まれて装着されるものとする。
【００２８】
係合片(33)(34)を係合孔(13)内に差し込んだ状態においては、図１に示すように、進退軸(2)は、上記したように、係合片(33)(34)によって奥へ押されて後退し、係合片(33)(34)が係合孔(13)の所定位置に抜け止め状態に係合された状態においては、前記後退姿勢は維持できるように設定されている。
【００２９】
前記補助部材(3)を装着させた状態にて、前記ケース体(17)の上方開放部は、化粧板(19)に回動自在に軸支させた被覆蓋(14)によって開放自在に閉塞される構成となっている。尚、化粧板(19)には小判型の開口(23)が形成されており、前記接続孔(11)(12)及び係合孔(13)は前記開口(23)から露出する態様となっている。
【００３０】
又、被覆蓋(14)の内面には、一対の受け筒部(25)(26)が設けられており、不使用時における保護部材(3)のキャップ部(31)(32)を、図２に示すように、前記受け筒部(25)(26)に嵌め込んでおけば、保護部材(3)を被覆蓋(14)と一体とすることができ、不使用時における保護部材(3)が邪魔になることがない。
【００３１】
前記保護部材(3)を被覆蓋(14)に装着させたまま被覆蓋(14)を閉じてしまった場合や、保護部材(3)の係合片(33)(34)が係合孔(13)に抜け止め状態に装着されていない不完全装着状態である場合、進退軸(2)は、前記バネ(21)の付勢力によって外方突出状態に付勢されることから、不完全装着状態の前記保護部材(3)は前記進退軸(2)によって外方は押され、例えば、図３に示すように、補助部材(3)が化粧板(19)の前記開口(23)の開放端から上方へ浮き上がった状態となる。
【００３２】
この状態において、被覆蓋(14)を閉塞方向に回動させても、被覆蓋(14)を完全に閉塞させることができず、被覆蓋(14)は化粧板(19)から上方へ浮き上がった状態となる。これにより、保護部材(3)の装着が不完全であることを知ることができる。
尚、前記進退軸(2)に具備させたバネ(21)の付勢力は、前記被覆蓋(14)の自重によって、係合孔(13)内に後退することがない程度に設定されているものとする。
【００３３】
被覆蓋(14)の閉塞が阻止された状態を受けて、再度、被覆蓋(14)を一旦開放させ、保護部材(3)は装着し直されることとなる。よって、保護部材(3)の不完全装着状態のまま、流体コンセント(1)の次の使用時まで放置されるようなことはない。
【００３４】
流体コンセント(1)を使用する際には、前記被覆蓋(14)を開放し、ボールチェーン(5)を外方から引っ張れば、前記板バネ(38)が弾性変形し、前記係合片(33)(34)の係合孔(13)への係合が解除され、補助部材(3)は取り外されることとなる。これと同時に、進退軸(2)は、前記バネ(21)の付勢力によって、係合孔(13)から突出する態様となる。
【００３５】
そして、図２に示すように、プラグ部(4)を化粧板(19)の開放孔に差し込めば、室外の加熱器と室内の放熱機とが流路接続及び電気接続することとなる。このとき、コンセント本体(1)の係合孔(13)内に係止フック(41)が、進退軸(2)を奥側へ後退させながら差し込まれていくこととなり、前記係合片(33)(34)と同様に、抜け止め状態に係合させることができる。
【００３６】
図４に示したものは、スライド式の被覆蓋(24)を具備させた流体コンセント(1)を壁面(W)に設置した様子を示す断面図である。
この場合も、保護部材(3)が確実に装着されていない場合、前記保護部材(3)は進退軸(2)によって化粧板(19)の開放端よりも外方へ押し出されることとなるため、押し出された保護部材(3)又は突出する進退軸(2)が邪魔になって被覆蓋(24)をスライドさせて閉塞させることができないことから、保護部材(3)の装着不良を認めることができるのである。
【図面の簡単な説明】
【図１】本願発明の実施の形態の流体コンセント(1)に保護部材(3)が装着されていると共にその状態で被覆蓋(14)を閉塞させた状態を示す断面図。
【図２】本願発明の実施の形態の流体コンセント(1)にプラグ部(4)を接続させた様子を示す断面図。
【図３】保護部材(3)が不完全装着状態の場合を示す説明図。
【図４】他の実施の形態の説明図。
【図５】従来の流体コンセント用保護部材の使用状態を示す断面図。
【符号の説明】
(1)・・・・・・流体コンセント
(10)・・・・・・コンセント本体
(11)(12)・・・・接続孔
(13)・・・・・・係合孔
(14)・・・・・・被覆蓋
(2) ・・・・・・進退軸
(21)・・・・・・付勢手段（バネ）
(3) ・・・・・・保護部材
(31)(32)・・・・キャップ部
【図１】
0003701929.tif 000002
【図２】
0003701929.tif 000003
【図３】
0003701929.tif 000004
【図４】
0003701929.tif 000005
【図５】
0003701929.tif 000006